(57)【要約】      （修正有）【課題】ユーザが所望する印刷結果物を得ることができる画像形成装置を提供する。【解決手段】画像形成装置１０１はスキャナ２０３を用いて原稿を読み取った後、原稿をプリンタ２０２に搬送し、搬送された原稿に予めＲＡＭ２０６に格納された画像の上書印刷を行う場合において、スキャナによって前記原稿が読み取られる前に原稿に記述された内容の一部が消える可能性がある旨を通知する。【選択図】図２
2016161822.tif 000002
【特許請求の範囲】
【請求項１】
原稿を読み取る読取手段と、
画像を印刷する印刷手段と、
前記読取手段によって読み取られた原稿を前記印刷手段に搬送し、前記印刷手段によって前記搬送された原稿に画像を上書きする上書印刷を実行する場合において、前記読取手段によって前記原稿が読み取られる前に前記読み取られる原稿に記述された内容の一部が消える可能性がある旨を通知する通知手段とを備えることを特徴とする画像形成装置。
【請求項２】
原稿を読み取る読取手段と、
画像を印刷する印刷手段と、
前記読取手段によって読み取られた原稿を前記印刷手段に搬送し、前記印刷手段によって前記搬送された原稿に画像を上書きする上書印刷を実行した後、前記読取手段によって前記画像が上書きされた原稿を再度読み取るように制御する制御手段と、
前記上書印刷の前に読み取られた第１の画像と、前記上書印刷の際に印刷される第２の画像と、前記上書印刷の後に読み取られた第３の画像とに基づき、原稿に記述された内容の一部が消えたか否かを判別する判別手段と、
前記判別手段によって原稿に記述された内容の一部が消えたと判別された場合に所定の通知を行う通知手段とを備えることを特徴とする画像形成装置。
【請求項３】
前記上書印刷が実行された後の原稿を読み取るか否かを設定する設定手段をさらに備えることを特徴とする請求項２記載の画像形成装置。
【請求項４】
前記設定手段は前記上書印刷が実行された後の原稿を読み取る際の条件として文字条件をさらに設定することを特徴とする請求項３記載の画像形成装置。
【請求項５】
前記判別手段は前記第２の画像と前記第３の画像の差分とが前記第１の画像と一致していない場合に原稿に記述された内容の一部が消えたと判別することを特徴とする請求項２乃至４のいずれか１項に記載の画像形成装置。
【請求項６】
前記制御手段は前記判別手段によって原稿に記述された内容の一部が消えたと判別された場合に当該消えた内容を上書きする上書印刷を実行するように制御することを特徴とする請求項２乃至５のいずれか１項に記載の画像形成装置。
【請求項７】
前記制御手段は前記判別手段によって原稿に記述された内容の一部が消えたと判別された場合に消えた部分に対応する領域に所定の画像を上書きする上書印刷を実行するように制御することを特徴とする請求項２乃至５のいずれか１項に記載の画像形成装置。
【請求項８】
原稿を読み取る読取手段と、画像を印刷する印刷手段とを備える画像形成装置の制御方法であって、
前記読取手段によって読み取られた原稿を前記印刷手段に搬送し、前記印刷手段によって前記搬送された原稿に画像を上書きする上書印刷を実行する場合において、前記読取手段によって前記原稿が読み取られる前に前記読み取られる原稿に記述された内容の一部が消える可能性がある旨を通知することを特徴とする画像形成装置の制御方法。
【請求項９】
原稿を読み取る読取手段と、画像を印刷する印刷手段とを備える画像形成装置の制御方法であって、
前記読取手段によって読み取られた原稿を前記印刷手段に搬送し、前記印刷手段によって前記搬送された原稿に画像を上書きする上書印刷を実行した後、前記読取手段によって前記画像が上書きされた原稿を再度読み取るように制御する制御工程と、
前記上書印刷の前に読み取られた第１の画像と、前記上書印刷の際に印刷される第２の画像と、前記上書印刷の後に読み取られた第３の画像とに基づき、原稿に記述された内容の一部が消えたか否かを判別する判別工程と、
前記判別手段によって原稿に記述された内容の一部が消えたと判別された場合に所定の通知を行う通知工程とを有することを特徴とする画像形成装置の制御方法。
【請求項１０】
原稿を読み取る読取手段と、画像を印刷する印刷手段とを備える画像形成装置の制御方法をコンピュータに実行させるためのプログラムであって、
前記画像形成装置の制御方法は、
前記読取手段によって読み取られた原稿を前記印刷手段に搬送し、前記印刷手段によって前記搬送された原稿に画像を上書きする上書印刷を実行する場合において、前記読取手段によって前記原稿が読み取られる前に前記読み取られる原稿に記述された内容の一部が消える可能性がある旨を通知することを特徴とするプログラム。
【請求項１１】
原稿を読み取る読取手段と、画像を印刷する印刷手段とを備える画像形成装置の制御方法をコンピュータに実行させるためのプログラムであって、
前記画像形成装置の制御方法は、
前記読取手段によって読み取られた原稿を前記印刷手段に搬送し、前記印刷手段によって前記搬送された原稿に画像を上書きする上書印刷を実行した後、前記読取手段によって前記画像が上書きされた原稿を再度読み取るように制御する制御工程と、
前記上書印刷の前に読み取られた第１の画像と、前記上書印刷の際に印刷される第２の画像と、前記上書印刷の後に読み取られた第３の画像とに基づき、原稿に記述された内容の一部が消えたか否かを判別する判別工程と、
前記判別手段によって原稿に記述された内容の一部が消えたと判別された場合に所定の通知を行う通知工程とを有することを特徴とするプログラム。
【発明の詳細な説明】
【技術分野】
【０００１】
本発明は、画像形成装置、該装置の制御方法、及びプログラムに関する。
【背景技術】
【０００２】
近年、温度に応じて色が変化するインクを使用した筆記具が知られている（例えば、特許文献１参照）。特許文献１の筆記具は、例えば、記録紙に有色の文字等を記載するときに使用され、記載された文字等に熱が加えられたとき、当該文字等は無色になって見かけ上は記録紙上から消滅する。
【０００３】
また、画像読取部及び印刷部を備えた画像形成装置が知られている（例えば、特許文献２参照）。特許文献２の画像形成装置は印刷部に通常定着部を備え、定着部は記録紙に付着されたトナーを固定する。
【０００４】
ところで、白紙の記録紙に文字等を印刷し、その後、文字等が印刷された記録紙（以下、「印刷済記録紙」という。）に更に別の文字（以下、「上書文字」という。）等を印刷する上書印刷が実行される場合がある。
【先行技術文献】
【特許文献】
【０００５】
【特許文献１】特開２００６−１９３６７４号公報
【特許文献２】特開２０００−１８５８８１号公報
【発明の概要】
【発明が解決しようとする課題】
【０００６】
しかしながら、特許文献２の画像形成装置が備える定着部は記録紙に付着されたトナーを固定するときに熱を発生する。ユーザが印刷済記録紙に特許文献１の筆記具を使用して文字等を追加し、さらに上書印刷を実行するとき、定着部は熱を発生し、特許文献１の筆記具によって印刷済記録紙に追加された文字（以下、「追加文字」という）等は定着部が発生させた熱によって見かけ上は記録紙上から消滅する。すなわち、ユーザは追加文字等が消滅することを望んでいないにもかかわらず、ユーザが記載した追加文字等が消滅する場合があり、その結果、ユーザが所望する印刷結果物が得られないという問題がある。
【０００７】
本発明の目的は、ユーザが所望する印刷結果物を得ることができる画像形成装置、該装置の制御方法、及びプログラムを提供することにある。
【課題を解決するための手段】
【０００８】
上記目的を達成するために、本発明の画像形成装置は、原稿を読み取る読取手段と、画像を印刷する印刷手段と、前記読取手段によって読み取られた原稿を前記印刷手段に搬送し、前記印刷手段によって前記搬送された原稿に画像を上書きする上書印刷を実行する場合において、前記読取手段によって前記原稿が読み取られる前に前記読み取られる原稿に記述された内容の一部が消える可能性がある旨を通知する通知手段とを備えることを特徴とする。
【０００９】
上記目的を達成するために、本発明の画像形成装置は、原稿を読み取る読取手段と、画像を印刷する印刷手段と、前記読取手段によって読み取られた原稿を前記印刷手段に搬送し、前記印刷手段によって前記搬送された原稿に画像を上書きする上書印刷を実行した後、前記読取手段によって前記画像が上書きされた原稿を再度読み取るように制御する制御手段と、前記上書印刷の前に読み取られた第１の画像と、前記上書印刷の際に印刷される第２の画像と、前記上書印刷の後に読み取られた第３の画像とに基づき、原稿に記述された内容の一部が消えたか否かを判別する判別手段と、前記判別手段によって原稿に記述された内容の一部が消えたと判別された場合に所定の通知を行う通知手段とを備えることを特徴とする。
【発明の効果】
【００１０】
本発明によれば、ユーザが所望する印刷結果物を得ることができる。
【図面の簡単な説明】
【００１１】
【図１】本発明の実施の形態に係る画像形成装置としてのＭＦＰを含む画像形成システムの構成を概略的に示すブロック図である。
【図２】図１における画像形成装置の内部構成を概略的に示すブロック図である。
【図３】図１におけるクライアントＰＣの内部構成を概略的に示すブロック図である。
【図４】図１の画像形成装置における原稿の読み取り及び記録紙への印刷を説明するために用いられる図である。
【図５】図４の画像形成装置を制御するプリンタ制御部の内部構成を概略的に示すブロック図である。
【図６】図４における画像読取部の内部構成を説明するために用いられる回路ブロック図である。
【図７】図２の画像形成装置におけるＣＰＵによって実行される上書印刷処理の手順を示すフローチャートである。
【図８】図７のステップＳ７０１において操作部に表示される初期設定画面を説明するために用いられる図である。
【図９】図８の初期設定画面における読取開始ボタンが押下されたときに操作部に表示される注意喚起画面を説明するために用いられる図である。
【図１０】図７のステップＳ７０４〜Ｓ７０７において取得される画像データを説明するために用いられる図である。
【図１１】図７のステップＳ７０９において操作部に表示される警告表示を説明するために用いられる図である。
【図１２】図７のステップＳ７０９において操作部に表示される警告表示を説明するために用いられる図である。
【図１３】図７の上書印刷処理の変形例の手順を示すフローチャートである。
【図１４】図１３のステップＳ１３０１において取得される画像データを説明するために用いられる図である。
【図１５】図１３の上書印刷処理の変形例の手順を示すフローチャートである。
【図１６】図１５のステップＳ１５０１，Ｓ１５０２において取得される画像データを説明するために用いられる図である。
【発明を実施するための形態】
【００１２】
以下、本発明の実施の形態について図面を参照しながら詳述する。
【００１３】
図１は、本発明の実施の形態に係る画像形成装置１０１としてのＭＦＰ（Multi-Function Printer）を含む画像形成システム１００の構成を概略的に示すブロック図である。
【００１４】
図１の画像形成システム１００は画像形成装置１０１及びクライアントＰＣ１０２を備え、画像形成装置１０１及びクライアントＰＣ１０２はネットワーク１０３を介して互いに接続されている。ユーザはクライアントＰＣ１０２から画像形成装置１０１に対して、例えば、印刷ジョブの実行を指示する。
【００１５】
図２は、図１における画像形成装置１０１の内部構成を概略的に示すブロック図である。
【００１６】
図２の画像形成装置１０１は、コントロールユニット２０１、プリンタ２０２、スキャナ２０３、及び操作部２０４を備える。コントロールユニット２０１はＣＰＵ２０５、ＲＡＭ２０６、ＲＯＭ２０７、操作部Ｉ／Ｆ２０８、ＨＤＤ２０９、ネットワークＩ／Ｆ２１０、モデム２１１、ＳＲＡＭ２１２、ＲＴＣ２１３を備え、これらの構成要素はシステムバス２１４を介して互いに接続されている。さらに、コントロールユニット２０１はＲＩＰ部２１５、デバイスＩ／Ｆ２１６、スキャナ画像処理部２１７、プリンタ画像処理部２１８、暗号化処理部２１９、及び復号化処理部２２０を備え、これらの構成要素は画像バス２２１を介して互いに接続されている。システムバス２１４はイメージバスＩ／Ｆ２２２を介して画像バス２２１に接続されている。操作部Ｉ／Ｆ２０８、ネットワークＩ／Ｆ２１０、及びモデム２１１は、夫々操作部２０４、ネットワーク１０３、公衆電話回線２２３に接続され、デバイスＩ／Ｆ２１６は、プリンタ２０２及びスキャナ２０３に接続されている。
【００１７】
プリンタ２０２は、例えば、スキャナ２０３によって取得された画像データを記録紙に印刷する。スキャナ２０３は原稿を読み取ると共に当該原稿に対応する画像データを取得する。操作部２０４はハードキーや操作パネルを備え、ユーザはハードキーや操作パネルを介して画像形成装置１０１に指示を入力する。なお、操作パネルは、例えば、液晶モニタを有していてもよく、当該液晶モニタには画像形成装置１０１に関する情報等が表示される。
【００１８】
ＣＰＵ２０５はＲＡＭ２０６に格納されたプログラムを動作してコントロールユニット２０１を制御する。ＲＡＭ２０６は、各種プログラム、外部装置から受信したデータ、及びＲＩＰ部２１５によって変換されたビットマップイメージデータ等を格納する。ＲＯＭ２０７はＣＰＵ２０５において動作する各種プログラムや各種データ等を格納する。ＨＤＤ２０９は不揮発性の記憶装置であり、各種プログラムや各種データ等を格納する。モデム２１１は情報の入出力を行う。ＳＲＡＭ２１２は高速で動作する不揮発性の記憶媒体であり、各種プログラムや各種データ等を格納する。ＲＴＣ２１３はコントロールユニット２０１に電力が供給されていないときでも日付及び時刻を計時する。
【００１９】
ＲＩＰ部２１５は、例えば、画像記述言語で記述された画像データをビットマップイメージデータに変換する。スキャナ画像処理部２１７は、スキャナ２０３が原稿を読み取って画像データを取得したとき、当該画像データに対して補正、加工、又は編集等の各種処理を実行する。プリンタ画像処理部２１８は、プリンタ２０２が記録紙等に画像データを印刷するとき、当該画像データの補正、解像度変換等の各種処理を実行する。暗号化処理部２１９は画像形成装置１０１が受信したデータに対して暗号化処理を実行し、復号化処理部２２０は暗号化処理が実行されたデータに対して復号化処理を行う。
【００２０】
図３は、図１におけるクライアントＰＣ１０２の内部構成を概略的に示すブロック図である。
【００２１】
図３のクライアントＰＣ１０２は、ＣＰＵ３０１、ＲＡＭ３０２、ＲＯＭ３０３、入力装置３０４、ネットワークＩ／Ｆ３０５、ＨＤＤ３０６及び表示装置３０７を備え、これらの構成要素はシステムバス３０８を介して互いに接続されている。また、ネットワークＩ／Ｆ３０５にはネットワーク１０３が接続されている。
【００２２】
ＣＰＵ３０１はＰＣ１０２のシステム全体を制御する演算装置である。ＲＡＭ３０２はプログラムやデータを格納する。ＲＯＭ３０３はＣＰＵ３０１のシステムワークメモリであると共に画像データ等を格納する。入力装置３０４は、例えば、キーボードやポインティングデバイスであり、ユーザがクライアントＰＣ１０２に指示を入力する際に使用される。ＨＤＤ３０６はプログラム、画像データ、アプリケーションデータ等を格納する。表示装置３０７は、クライアントＰＣ１０２の動作状況や、クライアントＰＣ１０２上で動作する各プログラムの情報を表示する。
【００２３】
図４は、図１の画像形成装置１０１における原稿Ｇの読み取り及び記録紙Ｓへの印刷を説明するために用いられる図である。
【００２４】
図４（ａ）の画像形成装置１０１は第１の給紙部４０１、ＣＩＳピックアップローラ４０２、分離部４０３，４０４、画像読取部４０５、白基準部材４０６、パス４０７〜４０９、搬送ローラ４１０〜４１３、フラッパ４１４，４１５、第１の排紙部４１６、第２の給紙部４１７、光学ユニット４１８、感光ドラム４１９、現像ローラ４２０、転写部４２１、ＣＳＴピックアップローラ４２２、定着部４２３、加熱ローラ４２４、加圧ローラ４２５、排紙ローラ４２６、及び第２の排紙部４２７を備え、光学ユニット４１８は発光部４１８ａを備える。
【００２５】
第１の給紙部４０１には印刷済記録紙としての原稿Ｇが積載され、原稿Ｇは表面及び裏面を有する。第１の給紙部４０１に積載された原稿ＧはＣＩＳピックアップローラ４０２及び分離部４０３によってパス４０７に１枚ずつ搬送される。画像読取部４０５は回転可能に固定され、白基準部材４０６に向けて発光する。画像読取部４０５は白基準部材４０６に向けて発光することにより、画像読取部４０５が有する光源の光量斑等を補正するシェーディング補正を実行する。シェーディング補正が実行された後、画像読取部４０５はパス４０７に対向するように回転する（図４（ｂ）参照）。画像読取部４０５はパス４０７に搬送された原稿Ｇの表面を読み取り、画像データを生成して後述する画像メモリ５１１に当該画像データを格納する。
【００２６】
原稿Ｇの表面のみを読み取る場合、原稿Ｇは搬送ローラ４１０へ搬送された後、搬送ローラ４１０が逆回転することによって原稿Ｇの進行方向が転換（以下、「スイッチバック」という）する。フラッパ４１４は原稿Ｇの搬送経路をパス４０７からパス４０８に変更し、原稿Ｇはパス４０８に搬送され、搬送ローラ４１１，４１２を経由して第１の排紙部４１６に排出される。
【００２７】
一方、原稿Ｇの裏面を読み取る場合、原稿Ｇは搬送ローラ４１０に搬送された後、搬送ローラ４１０が逆回転することによって原稿Ｇがスイッチバックする。フラッパ４１４は原稿Ｇの搬送経路をパス４０７からパス４０８に変更し、原稿Ｇはパス４０８に搬送される。原稿Ｇがパス４０８に搬送されると同時に画像読取部４０５はパス４０８に対向するように回転し（図４（ｃ）参照）、画像読取部４０５を原稿Ｇが通過するとき、画像読取部４０５は原稿Ｇの裏面を読み取り、画像データを生成して後述する画像メモリ５１１に当該画像データを格納する。
【００２８】
画像読取部４０５を通過した原稿Ｇは搬送ローラ４１１，４１２を経由して第１の排紙部４１６に排出される。なお、フラッパ４１４は、原稿Ｇがスイッチバックしてパス４０８に搬送された後、原稿Ｇ及び後述する記録紙Ｓがパス４０８に搬送されることを防止するように位置する。
【００２９】
後述する制御ＣＰＵ５０１は、画像読取部４０５によって生成された画像データに基づいて信号を発生し、発光部４１８ａは当該信号に基づいて帯電させた感光ドラム４１９の表面にレーザ光を照射する。感光ドラム４１９の表面には静電潜像が形成され、現像ローラ４２０は当該静電潜像に対してトナーを供給する。これにより、感光ドラム４１９の表面にはトナー画像が形成される。
【００３０】
第２の給紙部４１７には記録紙Ｓが積載され、記録紙Ｓは表面及び裏面を有する。第２の給紙部４１７に積載された記録紙ＳはＣＳＴピックアップローラ４２２及び分離部４０４によってパス４０９に１枚ずつ搬送される。なお、記録紙Ｓは画像形成装置１０１において印刷処理を実行する際に使用され、例えば、普通紙やＯＨＰシート等が使用される。
【００３１】
感光ドラム４１９の表面に形成されたトナー画像は転写部４２１において記録紙Ｓの表面に転写される。記録紙Ｓの表面にトナー画像が転写されるとき、転写部４２１には印加バイアス及び圧力が付与される。トナー画像が転写された記録紙Ｓは定着部４２３に搬送され、回転する加熱ローラ４２４から発生した熱及び加熱ローラ４２４に対向して回転する加圧ローラ４２５から加えられる圧力により、トナー画像は記録紙Ｓの表面に定着する。その後、記録紙Ｓの表面にのみ画像を印刷する場合、記録紙Ｓは排紙ローラ４２６に搬送されて第２の排紙部４２７に排出される。
【００３２】
一方、記録紙Ｓの裏面にも画像を印刷する場合、記録紙Ｓは排紙ローラ４２６に搬送された後、排紙ローラ４２６が逆回転することによって記録紙Ｓがスイッチバックする。フラッパ４１５は記録紙Ｓの搬送経路をパス４０９からパス４０７に変更し、記録紙Ｓはパス４０７に搬送される。パス４０７に搬送された記録紙Ｓは再度転写部４２１に搬送され、転写部４２１において記録紙Ｓの裏面にトナー画像が転写される。次いで、定着部４２３において記録紙Ｓの裏面に転写されたトナー画像が定着され、排紙ローラ４２６に搬送されて第２の排紙部４２７に排出される。なお、記録紙Ｓがフラッパ４１５を通過したとき、フラッパ４１５は記録紙Ｓが転写部４２１から第２の排紙部４２７に搬送されるように位置する。
【００３３】
ところで、上述の画像形成装置１０１は印刷済記録紙である原稿Ｇに上書文字等を印刷する上書印刷を実行することができる。具体的には、画像読取部４０５が原稿Ｇの表面及び裏面の少なくとも一方を読み取り、原稿Ｇが搬送ローラ４１１に到達したとき、搬送ローラ４１１は逆回転する。その後、原稿Ｇは搬送ローラ４１０を経由してパス４０９に搬送され、転写部４２１において原稿Ｇに予めＲＡＭ２０６に格納された上書文字等が転写される。上書文字等が転写された原稿Ｇは定着部４２３に搬送され、定着部４２３において上書文字等が原稿Ｇに定着され、第２の排紙部４２７に排出される。なお、上書印刷の場合、第２の給紙部４１７から記録紙Ｓはパス４０９に搬送されない。
【００３４】
図５は、図４の画像形成装置１０１を制御するプリンタ制御部５００の内部構成を概略的に示すブロック図である。
【００３５】
図５のプリンタ制御部５００は、画像読取部４０５、光学ユニット４１８、定着部４２３、制御ＣＰＵ５０１、ＡＳＩＣ５０２、ＣＴＳ給紙ソレノイド５０３、メインモータ５０４、両面駆動モータ５０５、高電圧電源５０６、低電圧電源５０７、両面フラッパソレノイド５０８、スイッチバックソレノイド５０９、プログラムメモリ５１０、及び画像メモリ５１１を備える。
【００３６】
定着部４２３、高電圧電源５０６、低電圧電源５０７、両面フラッパソレノイド５０８、スイッチバックソレノイド５０９、及びプログラムメモリ５１０は制御ＣＰＵ５０１を介して互いに接続され、定着部４２３は低電圧電源５０７に接続されている。また、画像読取部４０５、光学ユニット４１８、ＣＴＳ給紙ソレノイド５０３、メインモータ５０４、両面駆動モータ５０５、及び画像メモリ５１１はＡＳＩＣ５０２を介して互いに接続されている。さらに、制御ＣＰＵ５０１はＡＳＩＣ５０２に接続されている。
【００３７】
制御ＣＰＵ５０１はＡＳＩＣ５０２に制御信号を出力して画像読取部４０５、光学ユニット４１８、ＣＴＳ給紙ソレノイド５０３、メインモータ５０４、両面駆動モータ５０５、及び画像メモリ５１１を制御する。また、制御ＣＰＵ５０１は定着部４２３、高電圧電源５０６、低電圧電源５０７、両面フラッパソレノイド５０８、スイッチバックソレノイド５０９、及びプログラムメモリ５１０を制御する。定着部４２３を制御するとき、制御ＣＰＵ５０１は定着部４２３の温度を一定に保つように制御する。
【００３８】
ＡＳＩＣ５０２は、制御ＣＰＵ５０１が出力した制御信号に基づいて、例えば、光学ユニット４１８を駆動するモータ（不図示）の速度、メインモータ５０４及び両面駆動モータ５０５の速度を制御する。各モータの速度はモータの回転毎にモータから出力されるタック信号に基づいて制御される。ＡＳＩＣ５０２は制御ＣＰＵ５０１の制御信号に基づいて各モータの速度を制御するため、制御ＣＰＵ５０１の各モータに対する制御に要する負荷は低減される。
【００３９】
ＣＴＳ給紙ソレノイド５０３はＣＳＴピックアップローラ４２２を駆動する。メインモータ５０４は搬送ローラ４１３、感光ドラム４１９、転写部４２１、加熱ローラ４２４、加圧ローラ４２５を駆動する。両面駆動モータ５０５はＣＩＳピックアップローラ４０２及び搬送ローラ４１０〜４１２を駆動する。高電圧電源５０６は、例えば、ＣＴＳ給紙ソレノイド５０３、メインモータ５０４、及び両面駆動モータ５０５に電力を供給し、低電圧電源５０７は、例えば、定着部４２３に電力を供給する。両面フラッパソレノイド５０８、スイッチバックソレノイド５０９は夫々フラッパ４１５及びフラッパ４１４を駆動する。プログラムメモリ５１０は制御ＣＰＵ５０１が各構成要素を制御するためのプログラムを格納する。画像メモリ５１１は画像読取部４０５によって生成された画像データを格納する。
【００４０】
図６は、図４における画像読取部４０５の内部構成を説明するために用いられる回路ブロック図である。
【００４１】
図６の画像読取部４０５は電流増幅部６０２、発光素子６０３、コンタクトイメージセンサ６０５、出力バッファ６０６、タイミングジェネレータ６０８、シフトレジスタ６１１、Ａ／Ｄコンバータ６１３、出力インタフェース回路６１４、及び制御回路６１８を備える。
【００４２】
また、画像読取部４０５では、スタートパルス信号（ＣＩＳＳＴＡＲＴ）６０４、発光素子制御信号（ＣＩＳＬＥＤ）６０１、Ｓｌ＿ｉｎ信号６１６、Ｓｌ＿ｓｅｌｅｃｔ信号６１７、及びシステムクロック（ＳＹＳＣＬＫ）６０７が画像読取部４０５に入力され、Ｓｌ＿ｏｕｔ信号６１５が画像読取部４０５から出力される。
【００４３】
発光素子６０３は原稿Ｇを均一に照射する。ＣＩＳＳＴＡＲＴ６０４はコンタクトイメージセンサ６０５に対して送信されるスタートパルス信号である。コンタクトイメージセンサ６０５には、例えば、１０３６８画素分のフォトダイオードが１２００ｄｐｉの主走査密度でアレイ状に配置されている。ＳＹＳＣＬＫ６０７はコンタクトイメージセンサ６０５の動作速度を決定する。
【００４４】
画像読取部４０５にＣＩＳＬＥＤ６０１が入力されると、ＣＩＳＬＥＤ６０１に基づいて電流増幅部６０２から発光素子６０３に所定の電力が供給され、発光素子６０３は原稿Ｇに光を照射する。このとき、原稿Ｇは光の一部を反射する。ＣＩＳＳＴＡＲＴ６０４が画像読取部４０５に入力されたとき、コンタクトイメージセンサ６０５は原稿Ｇからの反射光に基づいて電荷の蓄積を開始し、出力バッファ６０６に蓄積された電荷をデータとして格納する。
【００４５】
次に、ＳＹＳＣＬＫ６０７が入力され、ＳＹＳＣＬＫ６０７はタイミングジェネレータ６０８において転送クロック（ＣＩＳＣＬＫ）６０９及びＣＩＳサンプリングクロック（ＡＤＣＬＫ）６１０に分周される。ＡＤＣＬＫ６１０はＡ／Ｄコンバータ６１３のアナログ信号をデジタル信号に変換する変換速度を決定する。ＣＩＳＣＬＫ６０９がシフトレジスタ６１１に入力されたとき、出力バッファ６０６に格納されたデータはＣＩＳＳＮＳ信号６１２としてＡ／Ｄコンバータ６１３に転送される。Ａ／Ｄコンバータ６１３に転送されたＣＩＳＳＮＳ信号６１２は出力インタフェース回路６１４を経由してＳｌ＿ｏｕｔ信号６１５として出力される。
【００４６】
Ｓｌ＿ｉｎ信号６１６及びＳｌ＿ｓｅｌｅｃｔ信号６１７が画像読取部４０５に入力されたとき、制御回路６１８はＡ／Ｄコンバータ６１３のＡ／Ｄ変換ゲインの値を制御する。例えば、画像データのコントラストを上げるとき、Ａ／Ｄ変換ゲインの値を大きくする。なお、コンタクトイメージセンサ６０５の代わりにＣＭＯＳセンサやＣＣＤセンサを用いてもよい。
【００４７】
図７は、図２の画像形成装置１０１におけるＣＰＵ２０５によって実行される上書印刷処理の手順を示すフローチャートである。図７の上書印刷処理は上書文字等に対応する画像データ（以下、「第２の画像データ」という。）を原稿Ｇに印刷するときに実行される。
【００４８】
図７において、まず、操作部２０４に初期設定画面８００（図８）を表示する（ステップＳ７０１）。図８の初期設定画面８００は、データ格納場所８０１、チェックボックス８０２〜８０６、指定文字入力欄８０７、及び読取開始ボタン８０８を有する。データ格納場所８０１には第２の画像データの格納場所が入力される。チェックボックス８０２にチェックが付与されたとき、上書印刷処理が実行される前後で原稿Ｇを読み取る。
【００４９】
チェックボックス８０３にチェックが付与されたとき、上書印刷処理が実行される前に指定文字入力欄８０７に入力された指定文字（文字条件）が原稿Ｇに含まれているか否かを判別する。指定文字が原稿Ｇに含まれているとき、上書印刷処理が実行された後に再度原稿Ｇを読み取る。例えば、指定文字として「契約書」が指定文字入力欄８０７に入力されていれば「契約書」の文字が含まれる原稿Ｇは上書印刷処理が実行される前後で読み取られる。
【００５０】
チェックボックス８０４にチェックが付与されたとき、チェックボックス８０２，８０３にチェックが付与され、且つ上書印刷処理が実行される前後で読み取られた原稿Ｇの画像データが一致しない場合、後述する警告表示１１００，１２００が操作部２０４に表示される。本実施の形態において、上書印刷処理が実行される前後で読み取られた原稿Ｇの画像データが一致しない場合とは、上書印刷処理が実行され、原稿Ｇに記載された追加文字が消滅する場合である。
【００５１】
チェックボックス８０５にチェックが付与されたとき、原稿Ｇから消滅した追加文字（以下、「消滅部分」という。）が再生される。チェックボックス８０６にチェックが付与されたとき、上書印刷処理が実行された後に後述する記載禁止領域１６０１が原稿Ｇに印刷される。
【００５２】
図７に戻り、読取開始ボタン８０８が押下されたとき、注意喚起画面９００（図９）が操作部２０４に表示される（ステップＳ７０２）。注意喚起画面９００は注意喚起表示９０１、読取開始ボタン９０２、及びキャンセルボタン９０３を有する。注意喚起表示９０１は、温度に応じて色が変化する（熱で見かけ上、色が消える）インクを使用して記述された内容が原稿Ｇに含まれる場合に当該インクを使用して記述された内容が消える可能性があることを通知するためのメッセージを含む。読取開始ボタン９０２が押下されたとき、原稿Ｇの読み取りが開始され、キャンセルボタン９０３が押下されたとき、原稿Ｇの読み取りが中止される。
【００５３】
図７に戻り、読取開始ボタン９０２が押下されたか否かを判別する（ステップＳ７０３）。ステップＳ７０３の判別の結果、キャンセルボタン９０３が押下されたとき、本処理を終了し、読取開始ボタン９０２が押下されたとき、原稿Ｇの読み取りを開始する（ステップＳ７０４）。原稿Ｇが読み取られ、画像データ（以下、「第１の画像データ」という。）（図１０（ａ）参照）が生成されたとき、第１の画像データはＲＡＭ２０６に格納される。
【００５４】
次いで、予めＲＡＭ２０６に格納された第２の画像データ（図１０（ｂ）参照）を原稿Ｇに印刷して原稿Ｈを取得し（ステップＳ７０５）、上述したチェックボックス８０２，８０３にチェックが付与されているか否かを判別する（ステップＳ７０６）。
【００５５】
ステップＳ７０６の判別の結果、チェックボックス８０２，８０３にチェックが付与されていないとき、原稿Ｈを第２の排紙部４２７に排出して（ステップＳ７１０）本処理を終了し、チェックボックス８０２，８０３にチェックが付与されているとき、原稿Ｈの読み取りを開始する（ステップＳ７０７）。
【００５６】
原稿Ｈが読み取られ、画像データ（以下、「第３の画像データ」という。）が生成されたとき、第３の画像データはＲＡＭ２０６に格納される。第３の画像データには原稿Ｈから追加文字が消滅した画像データ（図１０（ｃ）参照）及び原稿Ｈから追加文字が消滅していない画像データ（図１０（ｄ）参照）がある。また、第３の画像データから第２の画像データを除去した画像データ（以下、「差分データ」という。）（図１０（ｅ）参照）を生成してＲＡＭ２０６に格納する。
【００５７】
次に、第１の画像データ及び差分データが一致するか否かを判別する（ステップＳ７０８）。ステップＳ７０８の判別の結果、第１の画像データ及び差分データが一致するとき、原稿Ｈを第２の排紙部４２７に排出して（ステップＳ７１０）本処理を終了し、第１の画像データ及び差分データが一致しないとき、原稿Ｇに消滅部分が含まれていること（警告）を操作部２０４に表示し（ステップＳ７０９）、ステップＳ７１０に進む。
【００５８】
操作部２０４に表示される警告は、例えば、警告表示１１００（図１１）のように追加文字が消滅した旨のメッセージのみを表示してもよく、警告表示１２００（図１２）のように追加文字が消滅した旨のメッセージに加えて第１の画像データ及び第３の画像データを表示してもよい。
【００５９】
図７の処理によれば、読取開始ボタン９０２が押下されたとき、注意喚起画面９００が操作部２０４に表示される（ステップＳ７０２）ので、ユーザは上書印刷終了後に原稿Ｇから消滅する部分がある可能性を認識することができる。これにより、ユーザは原稿Ｇに消滅する文字等が含まれているか否かを少なくとも原稿Ｇに第２の画像データが印刷される前に確認して上書印刷を実行するので、ユーザが所望する印刷結果物をより確実に得ることができる。また、第１の画像データ及び差分データが一致しないとき、原稿Ｇに消滅部分が含まれていること（警告）を操作部２０４に表示する（ステップＳ７０９）。これにより、ユーザは上書印刷終了後に消滅部分が存在することを認識するので、再印刷等を実行することにより、ユーザが所望する印刷結果物を得ることができる。
【００６０】
さらに、図７の処理では、操作部２０４に、チェックを付与することによって上書印刷処理が実行される前後で原稿Ｇを読み取るか否かを制御するためのチェックボックス８０２を伴う初期設定画面８００が表示される（ステップＳ７０１）。したがって、ユーザは原稿Ｇに温度に応じて色が変化するインクによって記述された内容が含まれていないことを把握している場合にチェックボックス８０２にチェックを付与しないことにより、上書印刷処理が実行された後の原稿Ｇが読み取られるのを省略することができ、もって、ユーザは印刷結果物を早期に取得することができる。
【００６１】
また、図７の処理では、指定文字が原稿Ｇに含まれているとき、上書印刷処理が実行された後に再度原稿Ｇが読み取られて第３の画像データが生成され、上書印刷処理が実行される前に原稿Ｇが読み取られて生成された第１の画像データと第３の画像データとが比較される。したがって、ユーザは指定文字を原稿Ｇに記載することにより、ユーザは契約書等の重要な書類に記載したサイン等が消失したか否かを確実に確認することができ、もって、ユーザの知らないうちにサインが消失した重要な書類が悪用されるのを防止することができる。
【００６２】
図１３は、図７の上書印刷処理の変形例の手順を示すフローチャートである。
【００６３】
図１３のステップＳ７０１〜Ｓ７０８，Ｓ７１０の処理は図７のステップＳ７０１〜Ｓ７０８，Ｓ７１０の処理と同一であるため、以下において、図７の処理と異なる点のみ説明する。
【００６４】
ステップＳ７０８の判別の結果、第１の画像データ及び差分データが一致しないとき、第１の画像データから差分データを除去した画像データ（以下、「再生画像データ」という。）（図１４参照）を生成する（ステップＳ１３０１）。次に、原稿Ｈに再生画像データを印刷し（ステップＳ１３０２）、ステップＳ７１０に進む。
【００６５】
図１３の処理によれば、第１の画像データ及び差分データが一致しないとき、消滅部分が再生され（ステップＳ１３０１）、再生された消滅部分が原稿Ｈに印刷される（ステップＳ１３０２）ので、ユーザが所望する印刷結果物を確実に得ることができる。
【００６６】
図１５は、図１３の上書印刷処理の変形例の手順を示すフローチャートである。図１５のステップ７０１〜Ｓ７０８，Ｓ７１０，Ｓ１３０１の処理は図１５のステップ７０１〜Ｓ７０８，Ｓ７１０，Ｓ１３０１の処理と同一であるため、以下において、図７の処理と異なる点のみ説明する。
【００６７】
再生画像データを生成し（ステップＳ１３０１）、当該再生画像データに記載された文字の位置に、例えば、矩形状の記載禁止領域１６０１を有する画像データ（以下、「第４の画像データ」という。）（図１６（ａ）参照）を生成し（ステップＳ１５０１）、第４の画像データを原稿Ｈに印刷し（図１６（ｂ）参照）（ステップＳ１５０２）、ステップＳ７１０に進む。
【００６８】
図１５の処理によれば、第１の画像データ及び差分データが一致しないとき、消滅部分に対応する位置に記載禁止領域１６０１を有する第４の画像データを生成し（ステップＳ１５０１）、第４の画像データを原稿Ｈに印刷する（ステップＳ１５０２）。すなわち、改竄防止画像データが印刷された原稿Ｈにおいて、再生画像データに記載された文字の位置（消滅部分に対応する位置）には記載禁止領域１６０１が設けられているので、例え、ユーザが原稿Ｇに追加した追加文字等が原稿Ｇに第２の画像データを上書印刷する際に消滅しても消滅部分に対応する位置には何ら文字等を追加することができず、もって消滅部分に対応する位置に文字等を追加して印刷物が悪用される事態を回避することができる。
【００６９】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００７０】
Ｇ，Ｈ  原稿
１０１  ＭＦＰ
２０２  プリンタ
２０３  スキャナ
４０５  画像読取部
４２３  定着部
１１００，１２００  警告表示
【図１】
2016161822.tif 000003
【図２】
2016161822.tif 000004
【図３】
2016161822.tif 000005
【図４】
2016161822.tif 000006
【図５】
2016161822.tif 000007
【図６】
2016161822.tif 000008
【図７】
2016161822.tif 000009
【図８】
2016161822.tif 000010
【図９】
2016161822.tif 000011
【図１０】
2016161822.tif 000012
【図１１】
2016161822.tif 000013
【図１２】
2016161822.tif 000014
【図１３】
2016161822.tif 000015
【図１４】
2016161822.tif 000016
【図１５】
2016161822.tif 000017
【図１６】
2016161822.tif 000018